(57)【要約】【課題】電気二重層キャパシタを積層する際に、正極集電板と負極集電板との接続を容易にするとともに、集電板間の電気抵抗を低減し得る、電気二重層キャパシタを得る。【解決手段】外装ケース１の正極集電穴２０ａから正極集電電極５ａａが露出しており、この部分の正極集電電極５ａａには、正極集電穴２０ａよりも一回り小さい正極シール穴２１ａが形成された正極シール層４ａが、リング状の融着部４ａ３によって密着されている。外装ケース１の左側面の外側から正極シール穴２１ａ及び正極集電穴２０ａを介して、正極集電板３ａの突出した中央部が外装ケース１内に差し込まれている。正極集電板３ａの中央部は、接合部３ａ１によって正極集電電極５ａａに密着されている。正極シール層４ａは、リング状の融着部４ａ１，４ａ２によって、正極集電穴２０ａの周囲において外装ケース１に密着されるとともに、正極集電板３ａの周縁部に密着されている。【選択図】図２
2006303269.tif 000002
【特許請求の範囲】
【請求項１】
セパレータを挟んで互いに対向する正極及び負極を有するセル部と、
前記セル部の第１主面を構成し、前記正極に接続された正極集電電極と、
前記セル部の前記第１主面と表裏関係にある前記セル部の第２主面を構成し、前記負極に接続された負極集電電極と、
前記セル部が収納された外装ケースであって、前記セル部の前記第１主面に対面する前記外装ケースの第１主面に正極集電穴が形成され、前記セル部の前記第２主面に対面する前記外装ケースの第２主面に負極集電穴が形成された外装ケースと、
前記正極集電穴に対応する正極シール穴が形成された正極シール層と、
前記負極集電穴に対応する負極シール穴が形成された負極シール層と、
前記外装ケースの前記第１主面の外側から前記正極シール穴及び前記正極集電穴を介して前記外装ケース内に差し込まれた中央部を有し、当該中央部が前記正極集電電極に密着された正極集電板と、
前記外装ケースの前記第２主面の外側から前記負極シール穴及び前記負極集電穴を介して前記外装ケース内に差し込まれた中央部を有し、当該中央部が前記負極集電電極に密着された負極集電板と
を備える、電気二重層キャパシタ。
【請求項２】
前記正極シール層及び前記負極シール層は熱可塑性樹脂で構成されており、
前記正極集電板の周縁部と前記外装ケースとは、加熱により溶融された前記正極シール層の融着部を介して互いに密着されており、
前記負極集電板の周縁部と前記外装ケースとは、加熱により溶融された前記負極シール層の融着部を介して互いに密着されている、請求項１に記載の電気二重層キャパシタ。
【請求項３】
前記正極シール層の前記融着部は、前記正極集電穴の周囲に少なくとも２重のリング状に形成されており、
前記負極シール層の前記融着部は、前記負極集電穴の周囲に少なくとも２重のリング状に形成されている、請求項２に記載の電気二重層キャパシタ。
【請求項４】
前記正極シール層は、加熱により溶融された前記正極シール穴の周囲の融着部によって、前記正極集電電極に密着されており、
前記負極シール層は、加熱により溶融された前記負極シール穴の周囲の融着部によって、前記負極集電電極に密着されている、請求項２又は３に記載の電気二重層キャパシタ。
【請求項５】
板状の前記正極集電電極上に板状の前記正極が形成された正極板状体を複数回折り曲げ、板状の前記負極集電電極上に板状の前記負極が形成された負極板状体を複数回折り曲げ、前記正極板状体と前記負極板状体とを前記セパレータを挟んで互いに対向させることにより、前記セル部が構成されている、請求項１〜４のいずれか一つに記載の電気二重層キャパシタ。
【請求項６】
請求項１〜５のいずれか一つに記載の第１及び第２の電気二重層キャパシタを備え、
前記第１の電気二重層キャパシタが備える前記正極集電板と、前記第２の電気二重層キャパシタが備える前記負極集電板とが互いに面接触するように、前記第１及び第２の電気二重層キャパシタが並べられている、電気二重層キャパシタモジュール。
【発明の詳細な説明】
【技術分野】
【０００１】
本発明は、電気二重層キャパシタの構造、及び、複数の電気二重層キャパシタが積層された電気二重層キャパシタモジュールの構造に関する。
【背景技術】
【０００２】
電気二重層キャパシタは、下記特許文献１に開示されているように、セパレータを挟んで互いに対向する分極性電極（正極及び負極）を設け、電解液中において分極性電極の表面に形成される電気二重層の静電容量を利用したものである。電気二重層キャパシタは、アルミコンデンサのような一般のキャパシタに比べて極めて大きな静電容量が得られることや、二次電池と異なって充放電に際して化学反応を伴わないため、大電流を瞬時に充放電でき、充放電効率が良いという利点がある。また、１０万回以上の充放電が可能であり、寿命が１０年以上で信頼性が高いという特徴もある。
【０００３】
電気二重層キャパシタは、電子機器のバックアップ用の用途や、家電機器やコピー機の電力貯蔵、自動車のアイドルストップ時の始動用電源、ハイブリッド自動車の電源、風力や太陽光発電のピークシェービングや平準化のための電力貯蔵用の用途まで、幅広い利用が始まっており、省エネルギーや炭酸ガスの削減に役立つキーデバイスとして期待されている。
【０００４】
従来の電気二重層キャパシタの構造は、例えば下記特許文献１の第６図に示されている。セパレータを挟んで対向する正極と負極とを有する電極構造が、複数積層されている。各正極の正極端子同士は、溶接や超音波接合などによって密着されて、正極集電板に接続されている。同様に、各負極の負極端子同士は、溶接や超音波接合などによって密着されて、負極集電板に接続されている。このように構成されたセル部は外装ケースの中に収納され、電解液（電解質を溶液に溶かしたものや、イオン性液体など）が含浸されている。
【０００５】
また、下記特許文献２の第６図には、袋状の外装ケース内にセル部が収納され、正極集電板及び負極集電板が外装ケースの外部に突出した構造が示されている。
【０００６】
従来の電気二重層キャパシタモジュールの構造としては、例えば下記特許文献１の第７図や下記特許文献２の図１０に示されている。複数の電気二重層キャパシタがケース内に収納されている。各電気二重層キャパシタの集電板同士は、配線（端子間導電体）によって接続されている。正極集電板と負極集電板とを交互に接続した場合には、複数の電気二重層キャパシタが直列に接続されるため、電気二重層キャパシタの個数に比例して電圧を高めることができる。
【０００７】
【特許文献１】特許第２９８７１６２号公報
【特許文献２】特開２００４−４７９７１号公報
【発明の開示】
【発明が解決しようとする課題】
【０００８】
従来の電気二重層キャパシタ及び電気二重層キャパシタモジュールによれば、集電板同士を配線によって接続しなければならず、配線の長さが長いため、瞬時の充放電に対しては配線の電気抵抗が無視できない。従って、瞬時の充放電効率が低くなったり、発熱量が多くなるなどの問題がある。
【０００９】
また、上記特許文献２の図６では、袋状の外装ケースの外部に正極集電板及び負極集電板が引き出されているが、この引き出し部分のシール性が不十分であるため、外部の水分が引き出し部分から外装ケース内に侵入するという問題もある。
【００１０】
本発明は、上記のような問題を解決するために成されたものであり、電気二重層キャパシタを積層する際に、正極集電板と負極集電板との接続を容易にするとともに、集電板間の電気抵抗を低減し得る、電気二重層キャパシタを得ることを目的とする。また、外装ケースから正極集電板及び負極集電板を引き出す部分のシール性が高められた電気二重層キャパシタを得ることを目的とする。
【課題を解決するための手段】
【００１１】
第１の発明に係る電気二重層キャパシタは、セパレータを挟んで互いに対向する正極及び負極を有するセル部と、前記セル部の第１主面を構成し、前記正極に接続された正極集電電極と、前記セル部の前記第１主面と表裏関係にある前記セル部の第２主面を構成し、前記負極に接続された負極集電電極と、前記セル部が収納された外装ケースであって、前記セル部の前記第１主面に対面する前記外装ケースの第１主面に正極集電穴が形成され、前記セル部の前記第２主面に対面する前記外装ケースの第２主面に負極集電穴が形成された外装ケースと、前記正極集電穴に対応する正極シール穴が形成された正極シール層と、前記負極集電穴に対応する負極シール穴が形成された負極シール層と、前記外装ケースの前記第１主面の外側から前記正極シール穴及び前記正極集電穴を介して前記外装ケース内に差し込まれた中央部を有し、当該中央部が前記正極集電電極に密着された正極集電板と、前記外装ケースの前記第２主面の外側から前記負極シール穴及び前記負極集電穴を介して前記外装ケース内に差し込まれた中央部を有し、当該中央部が前記負極集電電極に密着された負極集電板とを備える。
【００１２】
第２の発明に係る電気二重層キャパシタモジュールは、請求項１〜５のいずれか一つに記載の第１及び第２の電気二重層キャパシタを備え、前記第１の電気二重層キャパシタが備える前記正極集電板と、前記第２の電気二重層キャパシタが備える前記負極集電板とが互いに面接触するように、前記第１及び第２の電気二重層キャパシタが並べられている。
【発明の効果】
【００１３】
第１の発明に係る電気二重層キャパシタによれば、電気二重層キャパシタを積層する際に、正極集電板と負極集電板とを容易に接続できるとともに、集電板間の電気抵抗を低減することができる。
【００１４】
第２の発明に係る電気二重層キャパシタモジュールによれば、正極集電板と負極集電板とを容易に接続できるとともに、集電板間の電気抵抗を低減することができる。
【発明を実施するための最良の形態】
【００１５】
以下、本発明の実施の形態について、図面を用いて説明する。各図において同一の符号を付した要素は、同一又は相当の要素を示すものとする。
【００１６】
実施の形態１．
図１は、本発明の実施の形態１に係る電気二重層キャパシタ９の構造を示す断面図である。また、図２及び図３はそれぞれ、図１に示した構造のうち、正極集電板３ａが形成されている部分の構造を拡大して示す断面図及び正面図である。図１を参照して、多孔質のセパレータ７を挟んで互いに対向する正極６ａ及び負極６ｂを複数組積層することにより、セル部が構成されている。正極６ａ及び負極６ｂとしては、直径１０μｍ程度の大きさの活性炭やナノゲートカーボンを、ＰＴＦＥ（ポリテトラフルオロエチレン）などのフッ素系樹脂などをバインダーとして決着した、厚さ数百μｍの層が用いられる。
【００１７】
正極６ａは正極集電電極５ａ上に形成されており、負極６ｂは負極集電電極５ｂ上に形成されている。正極集電電極５ａとしては金属箔（アルミ箔、銅箔など）が用いられ、正極６ａは正極集電電極５ａの片面又は両面に形成されている。同様に、負極集電電極５ｂとしても金属箔が用いられ、負極６ｂは負極集電電極５ｂの片面又は両面に形成されている。
【００１８】
セル部は、外装ケース１内に収納されている。外装ケース１としては、金属箔（アルミ箔、銅箔など）の表面にポリエチレンなどの樹脂が張り合わされたラミネートフィルムが用いられる。外装ケース１には、放出弁２が設けられている。放出弁２には小さな貫通孔が設けられており、この貫通孔は通常は弁によって閉鎖されているが、外装ケース１の内圧が高まった場合には弁が開いて貫通孔が開通することにより、外装ケース１内のガスが外部に放出されるようになっている。
【００１９】
セパレータ７としては、天然パルプ、天然セルロース、溶剤紡糸セルロースなどのセルロース系や、ガラス繊維、非フィブリル化有機繊維を含有する不織布の他、ポリテトラフルオロエチレン（ＰＴＦＥ）などのフィリル化フォルムあるいは多孔質フィルムが用いられる。セパレータ７は、厚さが２０μｍから５０μｍ程度のものが用いられている。
【００２０】
セパレータ７に含浸される電解液としては、例えばカチオンとアニオンの組み合わせで、カチオンが４級アンモニウム、１，３−ジアルキルイミダゾリウム、又は１，２，３−トリアルキルイミダゾリウムで、アニオンがＢＦ4-、ＰＦ6-、ＣｌＯ4-、又はＣＦ3ＳＯ3-の塩や、１−エチル−３−メチルイミダゾリウム（ＥＭＩ）、１，２−ジメチル−３−プロピルイミダゾリウム（ＤＭＰＩ）のＡｌＣｌ4-やＢＦ4-などの塩などが用いられており、溶媒として炭酸プロピレン、炭酸エチレン、炭酸ジメチル、炭酸ジエチル、ジメトキシメタン、ジエトキシエタン、γ−ブチルラクトン、アセトニトリル、プロピオニトリルから選ばれる一種又はこれらの二種以上の混合溶媒などが用いられている。
【００２１】
図４は、正極６ａ、負極６ｂ、及びセパレータ７の位置関係を模式的に示す側面図である。正極集電電極５ａ上に形成された正極６ａと、負極集電電極５ｂ上に形成された負極６ｂとが、折り曲げられたセパレータ７に交互に挟み込まれることにより、セル部が構成されている。
【００２２】
図４において左端の正極集電電極５ａａには、片面にのみ正極６ａが形成されている。同様に、図４において右端の負極集電電極５ｂｂには、片面にのみ負極６ｂが形成されている。その他の正極集電電極５ａ又は負極集電電極５ｂには、両面に正極６ａ又は負極６ｂが形成されている。
【００２３】
図１に示したように、各正極集電電極５ａは、その上面又は側面で超音波溶接によって互いに接合されている。同様に、各負極集電電極５ｂは、その上面又は側面で超音波溶接によって接合されている。また、図１において左端の正極集電電極５ａａは、セル部の第１主面である左側面を構成しており、図１において右端の負極集電電極５ｂｂは、セル部の第２主面である右側面を構成している。従って、正極集電電極５ａａから集電することによって、全ての正極６ａが並列に集電され、負極集電電極５ｂｂから集電することによって、全ての負極６ｂが並列に集電されることになる。
【００２４】
図１〜３を参照して、外装ケース１の第１主面である左側面には、外装ケース１を貫通する正極集電穴２０ａが形成されている。正極集電穴２０ａからは正極集電電極５ａａが露出しており、この部分の正極集電電極５ａａには、正極集電穴２０ａよりも一回り小さい正極シール穴２１ａが形成された正極シール層４ａが、リング状の融着部４ａ３によって密着されている。また、外装ケース１の左側面の外側から正極シール穴２１ａ及び正極集電穴２０ａを介して、正極集電板３ａの突出した中央部が外装ケース１内に差し込まれている。正極集電板３ａの中央部は、正極集電穴２０ａから露出している部分の正極集電電極５ａａに、接合部３ａ１によって密着されている。正極シール層４ａは、リング状の融着部４ａ１，４ａ２によって、正極集電穴２０ａの周囲において外装ケース１に密着されるとともに、正極集電板３ａの周縁部に密着されている。
【００２５】
図２，３には正極側の集電構造についてのみ示したが、負極側も同様の集電構造を有している。図１を参照して、外装ケース１の第２主面である右側面には、外装ケース１を貫通する負極集電穴２０ｂが形成されている。負極集電穴２０ｂからは負極集電電極５ｂｂが露出しており、この部分の負極集電電極５ｂｂには、負極集電穴２０ｂよりも一回り小さい負極シール穴２１ｂが形成された負極シール層４ｂが、リング状の融着部（図３の融着部４ａ３に相当）によって密着されている。また、外装ケース１の右側面の外側から負極シール穴２１ｂ及び負極集電穴２０ｂを介して、負極集電板３ｂの突出した中央部が外装ケース１内に差し込まれている。負極集電板３ｂの中央部は、負極集電穴２０ｂから露出している部分の負極集電電極５ｂｂに、接合部（図３の接合部３ａ１に相当）によって密着されている。負極シール層４ｂは、二重リング状の融着部（図３の融着部４ａ１，４ａ２に相当）によって、負極集電穴２０ｂの周囲において外装ケース１に密着されるとともに、負極集電板３ｂの周縁部に密着されている。
【００２６】
図５〜８は、図２に対応させて、本実施の形態１に係る電気二重層キャパシタ９の組み立て手順を工程順に示す断面図である。ここでは正極集電構造の組み立てについてのみ説明しており、負極集電構造については、正極集電構造と同様であるため、説明を省略する。
【００２７】
図５を参照して、まず、正極集電穴２０ａの中心と、正極シール穴２１ａの中心と、正極集電板３ａの中央部の中心とが互いに重なるように、外装ケース１と正極シール層４ａと正極集電板３ａとを位置合わせする。正極シール層４ａは、電気絶縁性及びガスシール性を確保するためのものであり、正極シール層４ａとしては、厚さが０．２ｍｍ程度のポリエチレンフィルムなどの熱可塑性樹脂が用いられる。正極集電板３ａとしては、厚さが１ｍｍ以下の金属箔（アルミ箔、銅箔など）が用いられる。
【００２８】
図６を参照して、次に、正極集電穴２０ａよりも一回り大きい二重リング状の加熱部を有するテコを用意し、加熱部を正極集電板３ａに当接させた状態で、電気ヒーターによって１５０℃以上に加熱する。これにより、幅が１０ｍｍ程度の融着部４ａ１と、幅が５ｍｍ程度の融着部４ａ２とが二重リング状に形成され、これらの融着部４ａ１，４ａ２によって、外装ケース１と正極シール層４ａと正極集電板３ａとが互いに密着される。
【００２９】
図７を参照して、次に、予め準備しておいたセル部を、袋状の外装ケース１の上部開口面から、外装ケース１内に収納する。
【００３０】
図８を参照して、次に、正極集電板３ａの中央部と正極集電電極５ａａとを、超音波溶接によって接合する。これにより、接合部３ａ１が形成されて、正極集電板３ａと正極集電電極５ａａとが互いに密着する。
【００３１】
図２を参照して、次に、正極シール穴２１ａよりも一回り大きいリング状の加熱部を有するテコを用意し、加熱部を正極集電板３ａに当接させた状態で、電気ヒーターによって１５０℃以上に加熱する。これにより、幅が３ｍｍ程度の融着部４ａ３がリング状に形成され、この融着部４ａ３によって、正極シール層４ａと、正極集電穴２０ａから露出している部分の正極集電電極５ａａとが互いに密着される。
【００３２】
その後、外装ケース１の上部開口面から真空引きした後、外装ケース１内に電解液を注入する。最後に、外装ケース１の上部開口面を熱圧着によって封止することで、本実施の形態１に係る電気二重層キャパシタ９が完成する。
【００３３】
このようにして組み立てられた電気二重層キャパシタ９においては、図２，３に示したように、正極集電板３ａと外装ケース１とは、融着部４ａ１〜４ａ３によって３重にシールされている。従って、液状又はガス化した電解液が正極集電穴２０ａから外装ケース１の外部に漏出することを効果的に防止できるとともに、外部の水分が正極集電穴２０ａから外装ケース１内に侵入することを効果的に防止することができる。また、融着部４ａ１，４ａ２は、接合部３ａ１とともに正極集電板３ａを物理的に固定する役割も果たす。
【００３４】
なお、以上の説明では、正極集電板３ａと外装ケース１とをポリエチレンフィルムの融着によってシールする例について述べたが、ポリプロピレンフィルムや各種接着剤などを用いてシールしても良い。また、後述のように複数の電気二重層キャパシタ９が積層されて電気二重層キャパシタモジュールが構成されるので、正極集電板３ａ及び負極集電板３ｂに加わる圧力を吸収するために、シリコーンゴムなどのような弾力性のある材料を用いてシールしても良い。
【００３５】
また、以上の説明では、図６に示したように、二重リング状の融着部４ａ１，４ａ２によって、正極集電板３ａの周縁部と外装ケース１とを密着させる例について述べたが、一重又は三重以上の融着部によって密着させても良い。但し、十分なガスシール性を確保するためには、二重以上の融着部を形成することが望ましい。あるいは、正極集電板３ａの周縁部の全面を、外装ケース１に密着させても良い。
【００３６】
図９は、本実施の形態１に係る電気二重層キャパシタモジュールの構造を示す断面図である。樹脂製のモジュール容器１４内に、上述した電気二重層キャパシタ９が複数並設されている。互いに隣接する電気二重層キャパシタ９の正極集電板３ａと負極集電板３ｂとが面接触することによって、複数の電気二重層キャパシタ９が電気的に直列に接続されている。調整回路１１は、充放電時の初期値の調節を行うためのもので、各電気二重層キャパシタ９の正極集電板３ａと負極集電板３ｂとの間に接続されている。
【００３７】
左端の電気二重層キャパシタ９の正極集電板３ａは正極電流端子板１０ａに面接触しており、正極電流端子板１０ａは、モジュール容器１４の外部に引き出されている。同様に、右端の電気二重層キャパシタ９の負極集電板３ｂは負極電流端子板１０ｂに面接触しており、負極電流端子板１０ｂは、モジュール容器１４の外部に引き出されている。
【００３８】
正極電流端子板１０ａ、複数の電気二重層キャパシタ９、及び負極電流端子板１０ｂは、面圧調整機構１２及び締め付けベルト１３によって、左右両側から挟み込まれるように面圧が与えられている。これにより、正極電流端子板１０ａと左端の電気二重層キャパシタ９の正極集電板３ａとの密着、各正極集電板３ａと各負極集電板３ｂとの密着、及び右端の電気二重層キャパシタ９の負極集電板３ｂと負極電流端子板１０ｂとの密着が、それぞれ保たれる。また、正極集電板３ａ及び負極集電板３ｂが外装ケース１に押さえ付けられる方向に加圧されるため、図１に示した正極シール層４ａ及び負極シール層４ｂによるシール効果が高まる。面圧調整機構１２としては、皿バネやスプリングバネなどのバネ機構、ゴム、又は液体が入った袋などを用いることができる。
【００３９】
互いに隣接する電気二重層キャパシタ９の正極集電板３ａと負極集電板３ｂとは広い面積で接しており、また、各集電板の厚さは１ｍｍ以下と薄いので、集電板間の電気抵抗は非常に小さい。従って、瞬時の充放電に対しても充放電効率を高く保つことができる。また、電気抵抗に起因する発熱量が少なくなるため、温度上昇によって電解液が分解される事態を抑制することもできる。
【００４０】
実施の形態２．
図１０は、図４に対応させて、本発明の実施の形態２に係る電気二重層キャパシタにおける、正極６ａ、負極６ｂ、及びセパレータ７の位置関係を模式的に示す側面図である。薄板状の正極集電電極５ａの底面上に薄板状の正極６ａが形成された正極板状体を複数回折り曲げ、同様に、薄板状の負極集電電極５ｂの上面上に薄板状の負極６ｂが形成された負極板状体を複数回折り曲げ、そして、正極板状体と負極板状体とをセパレータ７を挟んで互いに対向させることにより、セル部が構成されている。
【００４１】
正極集電電極５ａの左端面が、正極集電板３ａに密着される正極集電電極５ａａとなっており、同様に、負極集電電極５ｂの右端面が、負極集電板３ｂに密着される負極集電電極５ｂｂとなっている。
【００４２】
この構造は、長尺の正極集電電極５ａの片面に正極６ａであるカーボン層が塗布によって形成されたシートと、正極集電電極５ａと同じ長さの負極集電電極５ｂの片面に負極６ｂであるカーボン層が塗布によって形成されたシートと、正極集電電極５ａと同じ長さのセパレータ７とを準備し、これらを貼り合わせて一体のシートとした後、この一体のシートを複数回折り曲げてプレス機構で圧縮することによって形成できる。
【００４３】
本実施の形態２に係る電気二重層キャパシタによると、正極集電電極５ａ及び負極集電電極５ｂが、それぞれ一体の構造として形成されている。従って、上記実施の形態１とは異なり、複数の正極集電電極５ａ及び複数の負極集電電極５ｂをそれぞれ超音波溶接などで接合する必要がないため、製造コストの低減を図ることができる。
【図面の簡単な説明】
【００４４】
【図１】本発明の実施の形態１に係る電気二重層キャパシタの構造を示す断面図である。
【図２】図１に示した構造のうち、正極集電板が形成されている部分の構造を拡大して示す断面図である。
【図３】図１に示した構造のうち、正極集電板が形成されている部分の構造を拡大して示す正面図である。
【図４】本発明の実施の形態１に係る電気二重層キャパシタにおける、正極、負極、及びセパレータの位置関係を模式的に示す側面図である。
【図５】本発明の実施の形態１に係る電気二重層キャパシタの組み立て手順を工程順に示す断面図である。
【図６】本発明の実施の形態１に係る電気二重層キャパシタの組み立て手順を工程順に示す断面図である。
【図７】本発明の実施の形態１に係る電気二重層キャパシタの組み立て手順を工程順に示す断面図である。
【図８】本発明の実施の形態１に係る電気二重層キャパシタの組み立て手順を工程順に示す断面図である。
【図９】本発明の実施の形態１に係る電気二重層キャパシタモジュールの構造を示す断面図である。
【図１０】本発明の実施の形態２に係る電気二重層キャパシタにおける、正極、負極、及びセパレータの位置関係を模式的に示す側面図である。
【符号の説明】
【００４５】
１  外装ケース、３ａ  正極集電板、３ｂ  負極集電板、４ａ  正極シール層、４ａ１〜４ａ３  融着部、４ｂ  負極シール層、５ａ，５ａａ  正極集電電極、５ｂ，５ｂｂ  負極集電電極、６ａ  正極、６ｂ  負極、７  セパレータ、２０ａ  正極集電穴、２０ｂ  負極集電穴、２１ａ  正極シール穴、２１ｂ  負極シール穴。
【図１】
2006303269.tif 000003
【図２】
2006303269.tif 000004
【図３】
2006303269.tif 000005
【図４】
2006303269.tif 000006
【図５】
2006303269.tif 000007
【図６】
2006303269.tif 000008
【図７】
2006303269.tif 000009
【図８】
2006303269.tif 000010
【図９】
2006303269.tif 000011
【図１０】
2006303269.tif 000012